(57)【要約】      （修正有）【課題】簡単にフランジバックを調整することのできるカメラボディを提供すること。【解決手段】交換レンズ鏡筒を着脱可能なボディマウント９と、前記ボディマウント９を前記交換レンズ鏡筒の光軸方向に移動させるモータ１２と、前記ボディマウント９に設けられ、前記交換レンズ鏡筒と通信可能な通信接点部と、前記通信接点部を介して前記交換レンズ鏡筒から送られる情報により、前記ボディマウント９の移動量を算出するカメラボディ側ＣＰＵ４を備えたことを特徴とするカメラボディ１。【選択図】図４
2012230206.tif 000002
【特許請求の範囲】
【請求項１】
光学機器を着脱可能なマウント部と、
前記マウント部を前記光学機器の光軸方向に移動させる移動手段と、
前記マウント部に設けられ、前記光学機器と通信可能な通信手段と、
前記通信手段を介して前記光学機器から送られる情報により、前記マウント部の移動量を算出する算出制御部を備えたことを特徴とするカメラボディ。
【請求項２】
請求項１に記載されたカメラボディであって、
前記光学機器を通過した光を撮像する撮像部を備え、
前記算出制御部は、前記光学機器から送られる情報と、前記撮像部の前記光軸方向の位置とに基づいて前記マウント部の移動量を算出することを特徴とするカメラボディ。
【請求項３】
請求項１または請求項２に記載されたカメラボディであって、
前記光学機器から送られる情報は、前記光学機器を特定する情報であることを特徴とするカメラボディ。
【請求項４】
請求項１から請求項３のいずれか１項に記載されたカメラボディであって、
前記光学機器は、前記光学機器に入射した光を合焦させるレンズを有し、
前記光学機器から送られる情報は、前記光学機器における前記マウント部に取り付けられる面から前記光学機器に入射した光が合焦する位置までの距離に関する情報であることを特徴とするカメラボディ。
【請求項５】
請求項１から請求項３のいずれか１項に記載されたカメラボディであって、
前記光学機器は、
前記光学機器を通過した光を合焦させるレンズを有し、
前記光学機器から送られる情報は、前記光学機器のフランジバックに関する情報であることを特徴とするカメラボディ。
【請求項６】
請求項1から請求項５のいずれか１項に記載されたカメラボディであって、
前記算出制御部は、前記マウント部の移動量に基づいて前記移動手段を制御することを特徴とするカメラボディ。
【請求項７】
請求項１から請求項６のいずれか１項に記載されたカメラボディであって、
前記移動手段は、前記通信手段が前記光学機器との通信が行えないとき、前記マウント部を所定の位置に移動させることを特徴とするカメラボディ。
【請求項８】
請求項1から請求項５のいずれか１項に記載されたカメラボディであって、前記算出制御部により算出された前記マウント部の移動量が表示される表示部を備え、
前記移動手段は、前記マウント部を移動させるために操作可能な操作部を有することを特徴とするカメラボディ。
【請求項９】
請求項１から請求項８のいずれか１項に記載されたカメラボディであって、
前記マウント部は、前記光学機器を着脱可能な第１マウントと、前記第１マウントの径方向の内側に設けられ、前記第１マウントとは径方向の大きさが異なり、前記光学機器を着脱可能な第２マウントとを備えたことを特徴とするカメラボディ。
【請求項１０】
請求項９に記載されたカメラボディであって、
前記移動手段は、前記第２マウントを前記光学機器の光軸方向に移動させ、
前記通信手段は、前記第２マウントに設けられ、前記第２マウントに装着された前記光学機器と通信可能であることを特徴とするカメラボディ。
【請求項１１】
請求項１０に記載されたカメラボディであって、
前記移動手段は、前記通信手段が前記光学機器との通信が行えないとき、前記第２マウント部を所定の位置に移動させることを特徴とするカメラボディ。
【請求項１２】
請求項１から請求項８のいずれか１項に記載されたカメラボディであって、
前記光学機器は、
レンズ群が備えられ、前記マウント部とは径方向の大きさが異なるレンズ鏡筒と、
一方の端部に前記マウント部を取り付け可能であり、他方の端部に前記レンズ鏡筒が取り付けられた変換アダプタと
を備えることを特徴とするカメラボディ。
【発明の詳細な説明】
【技術分野】
【０００１】
本発明は、カメラボディに関する。
【背景技術】
【０００２】
レンズ交換式のデジタルカメラにおいて、異なるメーカ等から提供された交換レンズ鏡筒とカメラボディとは、フランジバックが異なることが多い。すなわち、交換レンズ鏡筒のフランジバック（たとえばカメラボディを取り付けるボディマウント取り付け面から無限遠の被写体を無限遠のピントで撮影したときの合焦面までの距離）と、カメラボディのフランジバック（ボディマウントのマウント取り付け面から撮像素子の撮像面までの距離）とが異なることが多い。また同一のメーカの製品においても、交換レンズ鏡筒とカメラボディとのフランジバックが異なる場合がある。そのため、フランジバックの異なる交換レンズ鏡筒をカメラボディに取り付けて使用すると、焦点が合わせられない被写体距離があるなど好適に交換レンズ鏡筒を使用することができない。そこでフランジバックが互いに異なるレンズ鏡筒とカメラボディとを組み合わせて使用するために、レンズ鏡筒とデジタルカメラボディの間に、フランジバック差を埋める適切な厚さを有する専用のマウントアダプタを挿入し、フランジバックを調整することがある。
【０００３】
しかし、使用するデジタルカメラボディとはフランジバックが異なるレンズ鏡筒を多く所有する使用者は、それぞれのレンズ鏡筒を使用するために、専用の変換アダプタを用意して使用する必要があり面倒である。
【先行技術文献】
【特許文献】
【０００４】
【特許文献１】特開2010-160176号公報
【発明の概要】
【発明が解決しようとする課題】
【０００５】
本発明は、このような実状に鑑みてなされ、その目的は、簡単にフランジバックを調整することのできるカメラボディを提供することである。
【課題を解決するための手段】
【０００６】
上記目的を達成するために、請求項１に記載のカメラボディは、光学機器を着脱可能なマウント部と、マウント部を光学機器の光軸方向に移動させる移動手段と、マウント部に設けられ、光学機器と通信可能な通信手段と、通信手段を介して光学機器から送られる情報により、マウント部の移動量を算出する算出制御部を備えたことを特徴とするカメラボディ。
【０００７】
また、請求項１に記載されたカメラボディにおいて、光学機器を通過した光を撮像する撮像部を備え、算出制御部は、光学機器から送られる情報と、撮像部の光軸方向の位置とに基づいてマウント部の移動量を算出してもよい。
【０００８】
また、請求項１または請求項２に記載されたカメラボディにおいて、光学機器から送られる情報は、光学機器を特定する情報であってもよい。
【０００９】
また、請求項１から請求項３のいずれか１項に記載されたカメラボディにおいて、光学機器は、光学機器に入射した光を合焦させるレンズを有し、光学機器から送られる情報は、光学機器におけるマウント部に取り付けられる面から光学機器に入射した光が合焦する位置までの距離に関する情報であってもよい。
【００１０】
また、請求項１から請求項３のいずれか１項に記載されたカメラボディにおいて、
光学機器は、光学機器を通過した光を合焦させるレンズを有し、光学機器から送られる情報は、光学機器のフランジバックに関する情報であってもよい。
【００１１】
また、請求項1から請求項５のいずれか１項に記載されたカメラボディにおいて、算出制御部は、マウント部の移動量に基づいて移動手段を制御してもよい。
【００１２】
また、請求項１から請求項６のいずれか１項に記載されたカメラボディにおいて、移動手段は、通信手段が光学機器との通信が行えないとき、マウント部を所定の位置に移動させてもよい。
【００１３】
また、請求項1から請求項５のいずれか１項に記載されたカメラボディにおいて、算出制御部により算出されたマウント部の移動量が表示される表示部を備え、移動手段は、マウント部を移動させるために操作可能な操作部を有してもよい
また、請求項１から請求項８のいずれか１項に記載されたカメラボディにおいて、マウント部は、光学機器を着脱可能な第１マウントと、第１マウントの径方向の内側に設けられ、第１マウントとは径方向の大きさが異なり、光学機器を着脱可能な第２マウントとを備えてもよい。
【００１４】
また、請求項９に記載されたカメラボディにおいて、移動手段は、第２マウントを光学機器の光軸方向に移動させ、通信手段は、第２マウントに設けられ第１マウントに装着された光学機器と通信可能な第２通信部を有してもよい。
【００１５】
また、請求項１０に記載されたカメラボディにおいて、移動手段は、通信部が光学機器との通信が行えないとき、第２マウント部を所定の位置に移動させてもよい。
【００１６】
また、請求項１から請求項８のいずれか１項に記載されたカメラボディにおいて、光学機器は、レンズ群が備えられ、マウント部とは径方向の大きさが異なるレンズ鏡筒と、一方の端部にマウント部を取り付け可能であり、他方の端部にレンズ鏡筒が取り付けられた変換アダプタとを備えてもよい。
【図面の簡単な説明】
【００１７】
【図１】本発明の第１実施形態に係るカメラボディに、フランジバックの等しい交換レンズ鏡筒を装着した図である。
【図２】本発明の第１実施形態に係るカメラボディに設けられた、移動枠とカム枠と固定枠との関係を示す図である。
【図３】本発明の第１実施形態に係るカメラボディに、フランジバックの異なる交換レンズ鏡筒を装着した図である。
【図４】本発明の第１実施形態に係るカメラボディに、フランジバックの異なる交換レンズ鏡筒を装着した図である。
【図５】カメラボディのフランジバックの調整方法を示したフローチャートである。
【図６】カメラボディのフランジバックの調整方法を示したフローチャートである。
【図７】本発明の第２実施形態に係るカメラボディに、フランジバックの等しい交換レンズ鏡筒を装着した図である。
【図８】本発明の第２実施形態に係るカメラボディに、フランジバックの異なる交換レンズ鏡筒を装着した図である。
【図９】本発明の第３実施形態に係るカメラボディを示した図である。
【発明を実施するための形態】
【００１８】
（第１実施形態）
図１は、カメラボディ１に交換レンズ鏡筒２が装着された状態を示す図である。カメラボディ１に交換レンズ鏡筒２を装着する際は、カメラボディ１のボディマウント９に、交換レンズ鏡筒２に一体となって設けられているレンズマウント５を回しながら嵌合し装着する。
【００１９】
カメラボディ１には、円筒形状のカム枠１５が設けられており、カム枠１５の内側に固定枠１６が備えられている。またカメラボディ１には移動枠１９が設けられており、移動枠１９の先端部はカメラボディマウント９に接触して取り付けられている。
【００２０】
図２は、図１に示される移動枠１９と固定枠１６、カム枠１５、伝達部８の詳細な関係を示す図である。カム枠１５にはカム溝３５が設けられており、また固定枠１６には直線溝３６が設けられている。移動枠１９は、カメラボディマウント９に接触して取り付けられている側の先端部とは反対側は、固定枠１６の直進溝３６とカム枠１５のカム溝３５に係合しており、カム枠１５が回動するとカム溝３５と固定枠１６の直線溝３６に沿って、移動枠１９が交換レンズ鏡筒２に設けられたレンズの光軸方向を前後に移動できるようになっている。そのため、カム枠１５が回動し移動枠１９が交換レンズ鏡筒２側に移動すると、ボディマウント９は、移動枠１９によって交換レンズ側に押し出される。そのため、ボディマウント９の面と撮像素子１０との距離が長くなり、カメラボディ１のボディマウント９のレンズマウント取り付け面（レンズマウント５が取り付けられる面）から撮像素子１０の撮像面までの距離、すなわちカメラボディ１のフランジバックを長くすることができる。
【００２１】
カム枠１５は、モータ１２の回転を伝える伝達部８に接触しており、モータ１２が回転するとその回転が伝達部８を介してカム枠１５に伝達され、カム枠１５が回動する。カム枠１５が回動すると移動枠１９が光軸方向に移動し、移動枠１９に接触して取り付けられているカメラボディマウント９も移動枠１９の移動にともない光軸方向に移動する。
【００２２】
また、ボディマウント９には通信接点１８が取り付けられている。カメラボディ側通信接点１８は、フレキシブルプリント基板（FPC）１３に接続されている。そのため、移動枠１９が繰り出した状態でもFPC１３が伸縮可能であるから、CPU４と通信接点部とが接続した状態を保つことができる。CPU４は、モータ１２に移動枠１９の移動量の指示などを行う。またエンコーダなどの不図示の検出部がカメラボディに備わっており、ボディマウント９の位置を検出することができるようになっている。そのほかにカメラボディ１には測光手段、測距離手段、交換レンズ鏡筒2に電力を供給する電源部などがあるが、図１では省略している。
【００２３】
また図１に記載されているカメラボディ１は、移動枠１９が最も撮像素子１０側に移動した状態を示しており、これ以上移動枠１９が後方（撮像素子１０側）に移動することができないようになっている。移動枠１９がこれ以上後方に移動できない位置のとき、カメラボディ１のボディマウント９のレンズマウント取り付け面から撮像素子１０の撮像面までの距離がAとなる。また、ボディマウント９がこの位置にあるときを初期位置と定義する。
【００２４】
交換レンズ鏡筒２は、レンズ群L1，L2、レンズマウント５、CPU3、通信接点１７が設けられている。交換レンズ鏡筒２の内部に設けられたレンズL1、L2には、各レンズを移動させる不図示の移動部材が設けられており、その移動部材によりたとえばアクチュエータ等によって合焦させる被写体までの距離に応じて、レンズL1、L2は、その光軸方向に移動可能である。カメラボディ１と交換レンズ鏡筒２とは、レンズ側の通信接点１７とカメラボディ側の通信接点１８が接することにより電気的な通信が行われ、交換レンズ鏡筒２のCPU３から諸データがカメラボディ１側のCPU４に送られる。カメラボディ１側のＣＰＵ４では、送られたデータを各種制御に利用することができる。また、交換レンズ鏡筒２とカメラボディ１とは、通信接点１７、１８を介してやりとりされたデータを、オートフォーカスや手振れ防止などの機能に好適に使用することができる。また、交換レンズ鏡筒２のレンズマウント５のボディマウント取り付け面（ボディマウント９が取り付けられる面）と交換レンズ鏡筒を通過した光が合焦する位置までの距離、すなわち交換レンズ鏡筒２のフランジバックは、距離Aとなっている。ここで、交換レンズ鏡筒を通過した光の合焦位置は、たとえば交換レンズ鏡筒を通過する光が無限遠からくる光の場合、交換レンズ鏡筒のピントを無限遠に設定したときに合焦する位置である。
【００２５】
図１においては、ボディマウント９が初期位置にあるときに、ボディマウント９のレンズマウント取り付け面から撮像素子１０の撮像面までの距離（すなわちカメラボディ１のフランジバック）が距離Aとなり、交換レンズ鏡筒２のフランジバックの距離Aと等しい。このとき、交換レンズ鏡筒２のレンズＬ１、Ｌ２を通過した光は、カメラボディ１の内部に設けられている撮像素子１０の撮像面上に合焦可能である。そのため、交換レンズ鏡筒２を使用する場合は、カメラボディ１の移動枠１９を交換レンズ側に移動させる必要がない。
【００２６】
図３は、図１で説明したカメラボディ１に、図１の交換レンズ鏡筒２よりフランジバックが長い交換レンズ鏡筒１１を装着した図である。交換レンズ鏡筒１１は、図１で説明した交換レンズ鏡筒２のレンズマウント５と同様のレンズマウントを有しており、カメラボディ１のカメラボディマウント９と嵌合し、カメラボディ１に装着することが出来る。交換レンズ鏡筒１１は、交換レンズ鏡筒２とは異なるレンズ群L3からL７を有しており、不図示の移動部材によってこれらのレンズ群を移動させることができる。また、交換レンズ鏡筒１１側の通信接点１７とカメラボディ１側の通信接点１８とが接することにより、カメラボディ１と交換レンズ鏡筒１１との間で電気的な通信が行われ、交換レンズ１１のCPU３から送られる諸データをカメラボディ１側のCPU４で受信し、それらのデータをカメラボディ１側のＣＰＵ４で各種制御に利用することができる。
【００２７】
図３に示されているように、カメラボディ１のカメラボディマウント９のレンズマウント取り付け面から撮像素子１０の撮像面までの距離がAのとき（カメラボディマウント９が初期位置のとき）、交換レンズ鏡筒１１のフランジバック（距離B）は、カメラボディ１のフランジバック（距離A）よりも長い。そのため、合焦位置が撮像素子１０の撮像面を超えた位置になる。したがって、近距離の被写体へ焦点を合わせることに対応できないなど、適切な撮影を行うことができなくなる。
【００２８】
図４は、交換レンズ鏡筒１１をカメラボディ１に装着し、かつカメラボディ１のボディマウント９の位置を調整し交換レンズ鏡筒１１を通過した光が、カメラボディ１の撮像素子１０の撮像面上に合焦した状態を示している。カメラボディ１のフランジバックの調整は、モータ１２を駆動させることにより、伝達部８を介してカム枠１５を回転させることにより行う。カム枠１５が回転することにより、移動枠１９が交換レンズ鏡筒２側に移動する。このように、移動枠１９を移動させることで、ボディマウント９が移動し、カメラボディ１のフランジバックが距離Bとなる。そのため、ボディマウント９のレンズマウント取り付け面から撮像素子１０の撮像面までの距離が図１の場合と比較して長くなる。結果、撮像素子１０を超えた位置に合焦していた合焦面を、撮像素子１０の撮像面上に持ってくることができる。
【００２９】
また交換レンズ鏡筒１１とカメラボディ１との通信は、レンズ側通信接点１７とカメラボディ側通信接点１８とが接触する状態で行われる。この状態で、接点を介して交換レンズ鏡筒１１のCPU１４とカメラボディ側CPU４との通信が可能となる。そのため、カメラボディ側CPU４は、移動枠１９の適切な移動量を、交換レンズ鏡筒１１との通信から得られる情報を基に算出し、カメラボディマウント９を移動させる制御を行うことにより、交換レンズ鏡筒１１を通過した光の像を撮像素子１０の撮像面上に合焦させるようにすることが可能である。
【００３０】
たとえば、交換レンズ鏡筒１１側で、交換レンズ鏡筒１１の固有番号等の情報が記憶されているならば、カメラボディ１側のCPU４は、交換レンズ鏡筒１１側のCPU３を介して、その固有番号等の情報を、カメラボディ側通信接点１８から読み出すことができる。その情報をもとにカメラボディ側CPU４は、交換レンズ鏡筒１１の固有情報を認識し、その固有情報から交換レンズ鏡筒１１のフランジバックを認識する。そして、そのフランジバックに応じて、移動枠１９の移動量を算出し、移動枠１９を交換レンズ１１側に移動させ撮像素子１０の撮像面上に合焦面を移動させることができる。
【００３１】
図５は、撮像素子１０の撮像面上に合焦面を移動させるための、ボディマウント９の調整動作を示すフローチャートである。まず、カメラボディ側CPU４は、カメラボディ１と交換レンズ鏡筒１１との間で通信を行うことが可能であるかどうかを判定する（ステップS１）。可能でない判定されれば（ステップS１：No）一連のフローを終了し、可能であると判定されれば（ステップS１：Yes）装着されている交換レンズ鏡筒１１と通信を行い、次のステップに移行する。
【００３２】
次に、交換レンズ鏡筒１１との通信を行うことで、交換レンズ鏡筒１１の固有番号などの情報を交換レンズ鏡筒１１側から受信し、カメラボディ側CPU４は装着されている交換レンズ鏡筒１１を認識する（ステップS２）。そして、受信した交換レンズ鏡筒１１の固有番号からフランジバックに関する情報を得る。これは、予めカメラボディ１側で、複数の交換レンズ鏡筒の固有番号とフランジバックとの対応を記憶しておくことで可能である。次に、ボディマウント９が、ボディマウント９のレンズマウント取り付け面から撮像素子１０の撮像面までの距離がAとなる初期位置から移動しているかどうか判定する（ステップS３）。その結果、ボディマウント９が初期位置から移動していると判定されれば（ステップS３：Yes）、ボディマウント９の現在位置の検出を行う（ステップ４）。一方、ボディマウント９が初期位置から移動していないと判定されれば（ステップS３：No）、ステップ５に移行する。次に、交換レンズ鏡筒１１のフランジバックとボディマウント９の現在位置とをもとに、撮像素子１０の撮像面上にレンズ鏡筒２を通過した光を合焦させるためにボディマウント９を移動させる必要があるかどうかを判定する（ステップS５）。ボディマウント９を移動させる必要がないと判定されれば（ステップ５：No）、ボディマウント９を動かさずにこのままフローを終了する。ボディマウント９を移動させる必要があると判定されれば（ステップS５：Yes）、ステップS２とステップS４で得た情報をもとに、CPU４は、必要量だけモータを回転させる制御を行い、撮像素子１０の撮像面上に合焦させるようにボディマウント９を移動させる。（ステップS６）。
【００３３】
このようにして、カメラボディ１のボディマウント９のレンズマウント取り付け面から撮像素子１０の撮像面までの距離と交換レンズ鏡筒２のフランジバックとを等しくする。
【００３４】
以上より、第1実施形態に係るカメラボディ１を使用することによって、フランジバックの長い交換レンズ鏡筒１１を使用した場合でも、カメラボディ１のフランジバックが調整可能であり、合焦面をカメラボディ１の撮像素子１０の撮像面上に持ってくることができる。
【００３５】
また、上記の第１実施形態では、交換レンズ鏡筒１１のフランジバックとカメラボディ１のフランジバックが等しくなるようにボディマウント９を調整する方法として、カメラ側CPU４が、交換レンズ鏡筒側CPU１４の交換レンズ鏡筒１１の固有番号等の情報を、交換レンズ鏡筒１１とカメラボディ１との通信接点を通して読み出すこととした。そして、その情報をもとにカメラボディ１側が交換レンズ鏡筒１１を認識し、交換レンズ鏡筒１１のフランジバックに応じてボディマウント９の移動量を算出し、ボディマウント９を交換レンズ側に移動させる調整を行ったが、この方法に限定されるものではない。たとえば、交換レンズ鏡筒１１が交換レンズ鏡筒１１固有のフランジバックの情報を記憶しており、交換レンズ鏡筒１１からその記憶された固有のフランジバックの情報を、通信接点１８を介してカメラボディ１側で受信し、その情報をもとにボディマウント９を移動させてもよい。
【００３６】
また、上述の実施形態の図５で示したようなボディマウント９の調整方法以外に、図６に示すような方法でもボディマウント９を調整することが可能である。図６は、図５とは別のボディマウント９の調整動作を示すフローチャートである。まず、カメラボディ１は、通信接点１８を介して交換レンズ鏡筒１１の間で通信することが可能であるかどうかを判定する（ステップS７）。電源がオフになっている、または交換レンズ鏡筒１１がカメラボディ１に装着されていないなどの理由で、通信が可能でないと判定されれば（ステップS７：No）ボディマウント９を撮像素子１０側に移動させ、ボディマウント９が初期位置になるように移動させる。通信が可能であると判定されれば（ステップS７：Yes）交換レンズ鏡筒１１と通信を行い、次のステップに移行する。次に、交換レンズ鏡筒１１との通信を行うことで、交換レンズ鏡筒１１の固有番号などの情報をカメラボディ１側が受信し、カメラボディ１側は装着されている交換レンズ鏡筒１１を認識する（ステップS８）。そして、受信した交換レンズ鏡筒１１の固有番号からフランジバックに関する情報を得る。これは、予めカメラボディ１側で、複数の交換レンズ鏡筒の固有番号とフランジバックとの対応を記憶しておくことで可能である。次に、交換レンズ鏡筒１１のフランジバックとボディマウント９の現在位置との情報をもとに、レンズ鏡筒１１を通過した光が撮像素子１０の撮像面上に合焦するように調整するためにボディマウント９を移動させる必要があるかどうかを判定する（ステップS９）。ボディマウント９を移動させる必要がないと判定されれば（ステップ９：No）、ボディマウント９を動かさずにこのままフローを終了する。ボディマウント９を移動させる必要があると判定されれば（ステップS９：Yes）、ステップS８で得た情報をもとに、レンズ鏡筒１１を通過した光が撮像素子１０の撮像面上に合焦するようにボディマウント９を移動させるため、CPU４が指示を行い、必要量だけモータ１２を回転させる。（ステップS１０）。そのため、図に示したフローチャートでは、電源がオフになっている、または交換レンズ鏡筒１１がカメラボディ１に装着されていないなどの理由により通信が行えない状態になると、逐一カメラボディマウント９が初期位置に戻るようにボディマウント９を移動させる設定となっている。そのため、このボディマウント９の調整方法では、カメラボディマウント９の位置を検出する必要がない。
【００３７】
また、上述に記載の実施形態では、自動でボディマウント９の調整を行ったが、通信によって得られた情報にもとづいて手動でモータ１２やカム枠１５を操作し、カメラボディ１のフランジバックを調整してもよい。たとえば、通信によって得られた交換レンズ鏡筒１１の固有情報と現在のボディマウント９の位置をもとに、必要な移動枠１９の移動量をCPU４が算出し、移動量を不図示のカメラボディ１の背面に備えられた表示部に表示させる。装置使用者は、表示された数値をもとに手動でモータ１２やカム枠１５を操作し表示部に表示された移動量分だけ操作を行い調整する。このように、通信で得られた移動枠１９の好適な位置に、装置使用者が自ら調整を行ってもよい。
【００３８】
また、上述の第１実施形態では、移動枠１９は最も撮像素子１０側に移動した状態であり、これ以上移動枠１９が撮像素子１０側に移動することができないように構成されているが、そうでなくてもよい。たとえば、移動枠１９がさらに撮像素子１０側に移動し、ボディマウント９およびボディマウント９に嵌合するレンズマウントがカメラボディ１内に入り込む構造としても良い。このような構造にすることで、ボディマウント９と撮像素子１０との距離が短くなり、カメラボディ１のフランジバックが短くなる。そのため、交換レンズ鏡筒１１のフランジバックが短く合焦面が撮像素子１０の撮像面の前方にあったとしても、ボディマウント９をさらに撮像素子１０側に移動させることにより撮像素子１０の撮像面上に合焦させることができる。また、上述の実施形態でも説明したようにボディマウント９を交換レンズ鏡筒１１側光軸方向に移動させることでカメラボディ１のフランジバックを長くすることも可能である。
（第２実施形態）
図７は、図１に示した交換レンズ鏡筒２を第２実施形態のカメラボディ２１に装着した図である。交換レンズ鏡筒２の交換レンズ鏡筒マウント５は、カメラボディ２１のボディマウント２３に装着可能であり、レンズマウント５を回しながらボディマウント２３に嵌合し装着する。
【００３９】
第２実施形態に記載のカメラボディ２１のボディマウント２３は、固定枠２２に接触して取り付けられている。固定枠２２は、固定枠１６に取り付けられているため、ボディマウント２３を光軸方向に移動させることはできない。
【００４０】
ボディマウント２３のレンズマウント取り付け面から撮像素子までの距離Aは、交換レンズ鏡筒２のレンズマウント５のボディマウント取り付け面から交換レンズ鏡筒２を通過した光の合焦する位置までの距離、すなわち交換レンズ鏡筒２のフランジバック（距離A）と等しくなっている。そのため、交換レンズ鏡筒２をカメラボディ２１に取り付けて好適に使用することができる。ここで、交換レンズ鏡筒を通過した光の合焦位置は、たとえば交換レンズ鏡筒を通過する光が無限遠からくる光の場合、交換レンズ鏡筒のピントを無限遠に設定したときに合焦する位置である。
【００４１】
そのほかに、カメラボディ２１には、撮像素子１０、CPU４、モータ１２、伝達部８、カム枠１５、固定枠１６、移動枠１９が設けられている。また位置を検出する検出手段、測光手段、測距離手段、交換レンズ鏡筒に電力を供給する電源部があるが、図７ではこれらを省略している。
【００４２】
交換レンズ鏡筒２の構成は、図１と同様であるので、ここでは説明を省略する。
【００４３】
第２実施形態のカメラボディ２１には、ボディマウント２３のほかに、ボディマウント２３の径方向の外側にボディマウント２４が設けられている。すなわち、カメラボディ２１は、二つのボディマウントが設けられた構成となっている。また、ボディマウント２３とボディマウント２４は、マウント径が異なっている。ボディマウント２３は通信接点２５が、ボディマウント２４は通信接点２６がそれぞれ独立して設けられており、それぞれのボディマウントに取り付け可能な交換レンズ鏡筒と通信を行うことができる。
【００４４】
ボディマウント２４は、第１実施形態のカメラボディ１と同じように移動枠１９の先端部が接触して取り付けられている。また移動枠１９は、カメラボディマウント２４に接触して取り付けられている側とは反対側は、固定枠１６の直線溝３６とカム枠１５のカム溝３５とに係合している。そのため、モータ１２の回転を伝える伝達部８を介して回動するカム枠１５により、カム枠１５に設けられたカム溝３５と固定枠１６の直線溝３６に沿って移動枠１９の先端部が光軸方向を移動し、移動枠１９が光軸方向に移動する。
【００４５】
図７に示した移動枠１９は、最も撮像素子１０側に移動した状態であり、これ以上移動枠１９が後方に移動することができないようになっている。移動枠１９がこれ以上後方に移動できない位置では、ボディマウント２４のレンズマウント取り付け面と撮像素子１０の撮像面との距離はAとなっており、これは、カメラボディ２１に設けられたもう一つのボディマウント２３から撮像素子１０の撮像面との距離と等しい。また、ボディマウント２４がこの位置にあるときを初期位置と定義する。
【００４６】
図８は、交換レンズ鏡筒２７を第２実施形態に記載のカメラボディ２１に装着した図である。交換レンズ鏡筒２７には、レンズ群L８からL１２、CPU１４、レンズ鏡筒マウント２８が設けられており、レンズマウント２８には、カメラボディ側と通信等を行うための通信接点２０を有している。レンズ群L８からL１２は、不図示の移動手段によってレンズ群を移動することができる。交換レンズ鏡筒２７のフランジバック（距離B）は、ボディマウント２４のレンズマウント取り付け面から撮像素子１０の撮像面までの距離Aよりも長い。そのため交換レンズ鏡筒２７を通過した光は、カメラボディ２１内にある撮像素子１０の撮像面を超えた位置に合焦する。
【００４７】
交換レンズ鏡筒２７のレンズマウント２８は、図７に示したレンズマウント５のマウント径よりも大きい。そのため、レンズマウント５に装着することができない。だが、第２実施形態に係るカメラボディ２１は、ボディマウント２３の外側にボディマウント２３より大きなマウント径を持つボディマウント２４を設けている。ボディマウント２４は、レンズマウント２８と嵌合することができるマウント径となっている。
【００４８】
また、ボディマウント２４には通信接点２６が設けられているため、交換レンズ鏡筒２７の通信接点２０と接触することにより通信を行うことができる。また、ボディマウント２４には通信接点２６は、第１実施形態に係るカメラボディ１と同様に伸縮可能なFPC１３に接続されているため、移動枠１９が交換レンズ側に移動した状態でも、カメラボディ２１のCPU４と交換レンズ鏡筒２７側のCPU３との通信を保つことができる。
【００４９】
カメラボディ２１のフランジバックは、交換レンズ鏡筒２７をカメラボディ２１に装着した後、交換レンズ鏡筒２７内部に含まれるレンズ郡L８からL１２を通過した光が、撮像素子１０の撮像面上に合焦するようにボディマウント２４をレンズ鏡筒側に移動させ調整を行う。
【００５０】
調整方法としては、第１実施形態の図５に示したフローチャートの方法を用いて、交換レンズ鏡筒２７と通信を行い、交換レンズ鏡筒２７の情報をもとに自動でボディマウント２４の位置の調整を行ってもよい。また、第１実施形態の図６に示したフローチャートの方法を用いてボディマウント２４の位置の調整を行ってもよい。また、通信で得た交換レンズ鏡筒２７の情報をもとに装置使用者が手動で位置の調整を行ってもよい。これらの調整方法を用いることによって、カメラボディ２１のフランジバックを交換レンズ鏡筒２７のフランジバックと同じ距離Bに調整する。
【００５１】
以上より第２実施形態の構成によれば、第２実施形態のカメラボディ２１は、二つの異なるマウント径のボディマウントが設けられているため、マウント径の異なる交換レンズ鏡筒を使用することができる。またカメラボディ２１は、移動枠１９を光軸方向に移動させることによってカメラボディマウント２４が光軸方向に移動可能なため、カメラボディ２１のフランジバックを調整することができる。
【００５２】
また、上述の第２実施形態では、移動枠１９は最も撮像素子１０側に移動した状態であり、これ以上移動枠１９が撮像素子１０側に移動することができない構成になっている。移動枠１９がこの位置のとき、ボディマウント２４の初期位置としたが、そうでなくてもよい。たとえば、移動枠１９がさらに撮像素子１０側に移動し、ボディマウント２４がカメラボディ２１内に入り込む構造としても良い。このような構造にすることで、ボディマウント２４と撮像素子１０の撮像面との距離が短くなり、カメラボディ２１のフランジバックが短くなる。そのため、交換レンズ鏡筒のフランジバックが短く合焦面が撮像素子１０の前方にあったとしても、移動枠１９をさらにカメラボディ２１側に移動させることにより撮像素子１０の撮像面上に合焦させることができる。また、上述の実施形態でも説明したようにボディマウント２４を交換レンズ鏡筒側の光軸方向に移動させることでカメラボディ２１のフランジバックを長くすることも可能である。
【００５３】
また、第２実施形態に記載のカメラボディ２１のボディマウント２３は、固定枠２２を介して固定枠１６に取り付けられており、ボディマウント２３が光軸方向に移動することができないがこれに限定するものではなく、カメラボディマウント２４のように、移動枠が光軸方向に移動できる機構を持ち合わせてもよい。その際、カメラボディ２１内にモータを二つ設け、それぞれのモータで個別にボディマウントを動かすような構成にしてもよい。
【００５４】
また第２実施形態では、カメラボディに二つのボディマウントが設けられているが三つ以上のボディマウントを設けてもよい。
（第３実施形態）
図９は、図８に示した交換レンズ鏡筒２７を第１実施形態の図１に示したカメラボディ１に変換アダプタ３０を介して装着している図を示している。
【００５５】
カメラボディ１は撮像素子１０、CPU４、モータ１２、伝達部８、カム枠１５、固定枠１６、移動枠１９が設けられている。また位置を検出する検出手段、測光手段、測距離手段、交換レンズ鏡筒に電力を供給する電源部があるが、図ではこれを省略している。またカメラボディ１は、モータ１２の回転を伝達する伝達部８を介してカム枠１５を回動させることにより、移動枠１９が光軸方向に移動し、カメラボディマウント９を移動させることができる。
【００５６】
また、第１実施形態と同様にカメラボディ１は、移動枠１９がこれ以上後方（撮像素子１０側）に移動できない位置のときボディマウント９のレンズマウント取り付け面から撮像素子１０の撮像面までの距離をAとし、ボディマウント９がこの位置にあるときを初期位置と定義する。
【００５７】
交換レンズ鏡筒２７には、CPU４、レンズマウント２８が設けられており、レンズマウント２８には、カメラボディ側と通信等を行うための通信接点２０を有している。
【００５８】
また、交換レンズ鏡筒２７のレンズマウント２８と交換レンズ鏡筒２７を通過した光が合焦する位置までの距離、すなわち交換レンズ鏡筒２７のフランジバックは距離Bである。ここで、交換レンズ鏡筒を通過した光の合焦位置は、たとえば交換レンズ鏡筒を通過する光が無限遠からくる光の場合、交換レンズ鏡筒のピントを無限遠に設定したときに合焦する位置である。
【００５９】
また交換レンズ鏡筒２７のレンズマウント２８は、カメラボディマウント９よりもマウント径が大きく、ボディマウント９に嵌合し装着することができない。そこで、第３実施形態ではカメラボディ１と交換レンズ鏡筒２７とを装着するため、変換アダプタ３１を介して装着を行っている。
【００６０】
変換アダプタ３１は、略円環形状をしており、レンズマウント側取り付け部とカメラボディマウント側取り付け部を有している。レンズマウント側取り付け部は、変換アダプタ３１の一方の端部に取り付けられており、レンズマウント２８のマウント規格に対応し、レンズマウント２８と嵌合して交換レンズ鏡筒２７を装着することができる。また、変換アダプタ３１のもう一方の端部に取り付けられているカメラボディマウント取り付け部は、カメラボディマウント９のマウント規格に対応しており、カメラボディマウント９と嵌合してカメラボディ１を装着することが可能である。以上のように、変換アダプタ３１を介して交換レンズ鏡筒２７をカメラボディ１に装着することが可能である。
【００６１】
変換アダプタ３１のカメラボディマウント側取り付け部には、通信接点３０bが設けられ、カメラボディ１を装着した場合に、この通信接点３０bはカメラボディマウント１に設けられた通信接点１８と接する。また、レンズマウント側取り付け部には、通信接点３０aが設けられ、レンズマウント２８を装着した場合に、この通信接点３０aはレンズマウント側に設けられた通信接点２０に接する。変換アダプタ３１の通信接点３０aと通信接点３０b とは、電気的に接続されているため、カメラボディマウント側取り付け部に設けられた通信接点１8とレンズマウント側取り付け部に設けられた通信接点２０とは電気的に接続され、通信可能となっている。そのため、カメラボディ１と交換レンズ鏡筒２７との間に変換アダプタ３１介して装着しても、カメラボディ１と交換レンズ鏡筒２７側は通信可能となっている。
【００６２】
第３実施形態の構成では、カメラボディ１と交換レンズ鏡筒２７との間に変換アダプタ３１を取り付けるため、レンズマウント２８のボディマウント取り付け面から撮像素子１０の撮像面までの距離が変換アダプタの厚さDだけ長くなる。そこで第３実施形態では、変換アダプタの厚さDを加味してフランジバックの調整を行う必要がある。すなわち、交換レンズ鏡筒２７のフランジバックの距離Bから変換アダプタ３１の厚さDを引いたB−Dとボディマウント９の変換アダプタマウント取り付け面から撮像素子１０の撮像面までの距離とを比較して、ボディマウント９の移動量を算出する。また、レンズマウント２８の変換アダプタ取り付け面から交換レンズ鏡筒のフランジバックの距離Bから変換アダプタ３１の厚さDを引いたB−Dは、ボディマウント９の変換アダプタマウント取り付け面から交換レンズ鏡筒２７を通過した光が合焦する点まで距離と同じである。
【００６３】
カメラボディ１に設けられた移動枠１９が初期位置でのボディマウント９のレンズマウント取り付け面から撮像素子１０の撮像面までの距離はAである。第３実施形態において、変換アダプタ３１を介して交換レンズ鏡筒２７をカメラボディ１に装着することができる。しかし第３実施形態における変換アダプタ３１は、交換レンズ鏡筒２７とカメラボディ１専用の変換アダプタでなく、交換レンズ鏡筒２７を通過した光は、撮像素子１０の撮像面上に合焦しない。つまり、距離B−Dは、初期位置でのボディマウント９の変換アダプタマウント取り付け面から撮像素子１０の撮像面までの距離Aよりも大きい。そのため交換レンズ鏡筒２７を通過した光は、カメラボディ１の撮像素子１０の撮像面を超えて合焦する。従って、交換レンズ鏡筒２７は、変換アダプタ３１を介してカメラボディ１に装着して適切に使用することができない。
【００６４】
そこで、カメラボディ１に設けられる移動枠１９を交換レンズ２７側に移動させることで、ボディマウント９を交換レンズ鏡筒２７側に移動させ、ボディマウント９の変換アダプタマウント取り付け面から撮像素子１０の撮像面の距離を調整する。ボディマウント９は、交換レンズ鏡筒を通過する光がカメラボディ１の撮像素子１０の撮像面上に合焦する位置に調整する。
【００６５】
調整方法としては、第１実施形態の図５に示す調整方法を用いて、交換レンズ鏡筒２７と通信を行い、交換レンズ鏡筒２７の情報をもとに自動でカメラボディマウント９に装着する変換アダプタ３１の位置の調整を行ってもよい。また、第１実施形態の図６に示したフローチャートの方法を用いてボディマウント９の位置の調整を行ってもよい。また、通信で得た交換レンズ鏡筒２７の情報をもとに装置使用者が手動で位置の調整を行ってもよい。これらの調整方法を用いることによって、カメラボディ１のボディマウント９の変換アダプタマウント取り付け面から撮像素子１０の撮像面までの距離を、距離B−Dと等しい距離である距離Cとする。
【００６６】
以上より、第３実施形態に係るカメラボディ１によれば、専用の変換アダプタを使用しない場合であって交換レンズ鏡筒２７を通過した光が撮像素子１０の撮像面上に合焦しない場合でも、カメラボディ１のボディマウント９が調節可能なため、交換レンズ鏡筒２７を通過した光を撮像素子１０の撮像面上に合焦させることができる。そのため、交換レンズ鏡筒２７を専用でない変換アダプタ３１を介してカメラボディ１に装着しても好適に使用することができる。従って、第３実施形態に係るカメラボディ１は、同じ変換アダプタ３１を介してカメラボディ１に取り付け可能な交換レンズ鏡筒であれば、異なるフランジバックを持つ交換レンズ鏡筒においても好適に使用することができる。すなわち、通常変換アダプタ３１は、通常カメラボディのフランジバックと交換レンズ鏡筒のフランジバック差を埋めるために、適切な厚さの変換アダプタを使用する。しかし、本第３実施形態に係るカメラボディでは、１つの変換アダプタを所持すれば、同じ変換アダプタを介してカメラボディに取り付け可能な交換レンズ鏡筒において、フランジバックが異なる様々な交換レンズ鏡筒を使用することができる。
【００６７】
また、上述の第３実施形態では、移動枠１９は最も撮像素子１０側に移動した状態であり、これ以上移動枠１９が撮像素子１０側に移動することができないようになっているが、そうでなくてもよい。たとえば、移動枠１９がさらに撮像素子１０側に移動し、カメラボディマウント９および変換アダプタ３１がカメラボディ１内に入り込む構造としても良い。このような構造にすることで、カメラボディマウント９と撮像素子１０の撮像面との距離が短くなる。そのため、交換レンズ鏡筒２７のフランジバックが短く合焦面が撮像素子１０の撮像面の前方にあったとしても、ボディマウント９をさらにカメラボディ１側に移動させることにより撮像素子１０の撮像面上に合焦させることができる。また、上述の実施形態でも説明したようにボディマウント９を交換レンズ鏡筒１１側光軸方向に移動させることでカメラボディ１のフランジバックを長くすることも可能である。
【００６８】
また本発明は、上記に記載された実施例のみ限定されるものではなく、実施形態の構成を適宜改良してもよく、また、少なくとも一部を他の構成部に代替させてもよい。さらに、その配置についての特に限定のない構成要件は、上記の実施例で開示した配置に限らず、その機能を達成できる位置に配置することができる。
【符号の説明】
【００６９】
１、２１  カメラボディ
２、１１、２７  交換レンズ鏡筒
３  交換レンズ鏡筒側CPU
４  カメラボディ側CPU
５、２８  レンズマウント
８  伝達部
９、２３、２４   ボディマウント
１０  撮像素子
１２  モータ
１３  フレキシブルプリント基板
１５  カム枠
１６  固定枠
１７、２０  交換レンズ鏡筒に設けれた通信接点部
１８、２５、２６ カメラボディに設けられた通信接点部
１９  移動枠
２２  固定枠
２９  変換アダプタ
３０ａ  交換レンズ鏡筒側通信接点部
３０ｂ  カメラボディ側通信接点部
３５  カム溝
３６  直線溝
【図１】
2012230206.tif 000003
【図２】
2012230206.tif 000004
【図３】
2012230206.tif 000005
【図４】
2012230206.tif 000006
【図５】
2012230206.tif 000007
【図６】
2012230206.tif 000008
【図７】
2012230206.tif 000009
【図８】
2012230206.tif 000010
【図９】
2012230206.tif 000011